(57)【要約】【課題】非接触型ＩＣカード取引装置を利用する顧客以外の非接触型ＩＣカードの誤検知を防止する。【解決手段】取引装置２１を利用する顧客が非接触型ＩＣカード４０をＩＣカード接触検知部３１に接触させたとき、接触検出信号が出力される。接触検出信号は、制御部３２へ送出される。接触検出信号が出力された後の所定の時間（たとえば、３秒程度）の範囲内で、制御部３２の指令により、ＩＣカード処理部２２で非接触型ＩＣカード４０の接近が検知され、接近検出信号が出力される。接近検出信号が出力されたとき、制御部３２の指令により、非接触型ＩＣカード４０に記録されている顧客ＩＤがＩＣカード処理部２２で読取られ、制御部３２へ送出される。制御部３２で顧客ＩＤに基づいて非接触型ＩＣカードの使用の可否が識別され、使用可のときに所定の取引動作が開始される。【選択図】        図１
2004199445.tif 000002
【特許請求の範囲】
【請求項１】
無線通信によりデータの送受信を行う非接触型ＩＣカードが所定の領域内に接近したときに接近検出信号を出力するＩＣカード処理部を有し、該接近検出信号に基づいて所定の取引動作を開始する非接触型ＩＣカード取引装置であって、
前記非接触型ＩＣカード又は物体が接触したときに接触検出信号を出力する接触検知部と、
前記接触検出信号が出力された後に前記ＩＣカード処理部に対して前記非接触型ＩＣカードの接近を検知させる制御部とが設けられていることを特徴とする非接触型ＩＣカード取引装置。
【請求項２】
顧客ＩＤが記録された非接触型ＩＣカードが所定の領域内に接近したときに接近検出信号を出力するＩＣカード処理部と、
前記接近検出信号が出力されたときに前記顧客ＩＤに基づいて所定の取引動作を開始する制御部とを備えてなる非接触型ＩＣカード取引装置であって、
前記非接触型ＩＣカード又は物体が接触したときに接触検出信号を出力する接触検知部が設けられ、
前記制御部は、
前記接触検出信号が出力された後の所定の時間の範囲内で前記ＩＣカード処理部に対して前記非接触型ＩＣカードの接近を検知させ、該ＩＣカード処理部から前記接近検出信号が出力されたときに前記顧客ＩＤに基づいて前記所定の取引動作を開始する構成とされていることを特徴とする非接触型ＩＣカード取引装置。
【請求項３】
無線通信によりデータの送受信を行う非接触型ＩＣカードが所定の領域内に接近したときに接近検出信号を出力するＩＣカード処理部を有し、該接近検出信号に基づいて所定の取引動作を開始する非接触型ＩＣカード取引装置であって、
前記ＩＣカード処理部に対して通信可能距離を調整して前記非接触型ＩＣカードの接触のみを検知させ、該ＩＣカード処理部から接触検出信号が出力された後の所定の時間の範囲内で前記通信可能距離を再調整して前記非接触型ＩＣカードの接近を検知させ、前記ＩＣカード処理部から前記接近検出信号が出力されたときに前記所定の取引動作を開始する制御部が設けられていることを特徴とする非接触型ＩＣカード取引装置。
【請求項４】
顧客ＩＤが記録された非接触型ＩＣカードが所定の領域内に接近したときに接近検出信号を出力するＩＣカード処理部と、
前記接近検出信号が出力されたときに前記顧客ＩＤに基づいて所定の取引動作を開始する制御部とを備えてなる非接触型ＩＣカード取引装置であって、
前記制御部は、
前記ＩＣカード処理部に対して通信可能距離を調整して前記非接触型ＩＣカードの接触のみを検知させ、該ＩＣカード処理部から接触検出信号が出力された後の所定の時間の範囲内で前記通信可能距離を再調整して前記非接触型ＩＣカードの接近を検知させ、前記ＩＣカード処理部から前記接近検出信号が出力されたときに前記顧客ＩＤに基づいて前記所定の取引動作を開始する構成とされていることを特徴とする非接触型ＩＣカード取引装置。
【請求項５】
無線通信によりデータの送受信を行う非接触型ＩＣカードが所定の領域内に接近したときに接近検出信号を出力するＩＣカード処理部を有し、該接近検出信号に基づいて所定の取引動作を開始する非接触型ＩＣカード取引装置に用いられ、前記所定の取引動作を開始する前に前記非接触型ＩＣカードを検知する取引方法であって、
接触検知部を設けておき、
前記非接触型ＩＣカード又は物体が接触したときに前記接触検知部が接触検出信号を出力する接触検出処理と、
前記接触検出信号が出力された後に前記ＩＣカード処理部が前記非接触型ＩＣカードの接近を検知するＩＣカード検知処理とを行うことを特徴とする取引方法。
【請求項６】
顧客ＩＤが記録された非接触型ＩＣカードが所定の領域内に接近したときに接近検出信号を出力するＩＣカード処理部と、前記接近検出信号が出力されたときに前記顧客ＩＤに基づいて所定の取引動作を開始する制御部とを備えてなる非接触型ＩＣカード取引装置に用いられ、前記所定の取引動作を開始する前に前記非接触型ＩＣカードを検知する取引方法であって、
接触検知部を設けておき、
前記非接触型ＩＣカード又は物体が接触したときに前記接触検知部が接触検出信号を出力する接触検出処理と、
前記接触検出信号が出力された後の所定の時間の範囲内で前記ＩＣカード処理部が前記非接触型ＩＣカードの接近を検知するＩＣカード検知処理と、
前記ＩＣカード処理部から前記接近検出信号が出力されたときに前記顧客ＩＤに基づいて前記非接触型ＩＣカードの使用の可否を識別するカード識別処理と、
前記非接触型ＩＣカードが使用可のときに前記所定の取引動作を開始する取引処理とを行うことを特徴とする取引方法。
【請求項７】
無線通信によりデータの送受信を行う非接触型ＩＣカードが所定の領域内に接近したときに接近検出信号を出力するＩＣカード処理部を有し、該接近検出信号に基づいて所定の取引動作を開始する非接触型ＩＣカード取引装置に用いられ、前記所定の取引動作を開始する前に前記非接触型ＩＣカードを検知する取引方法であって、
前記ＩＣカード処理部に対して通信可能距離を前記非接触型ＩＣカードの接触のみが検知されるレベルに調整する第１のレベル調整処理と、
前記非接触型ＩＣカードの接触のみを検知する接触検出処理と、
前記ＩＣカード処理部から接触検出信号が出力された後の所定の時間の範囲内で前記通信可能距離を前記非接触型ＩＣカードの接近が検知されるレベルに再調整する第２のレベル調整処理と、
前記非接触型ＩＣカードの接近を検知するＩＣカード検知処理と、
前記ＩＣカード処理部から前記接近検出信号が出力されたときに前記所定の取引動作を開始する取引処理とを行うことを特徴とする取引方法。
【請求項８】
顧客ＩＤが記録された非接触型ＩＣカードが所定の領域内に接近したときに接近検出信号を出力するＩＣカード処理部と、前記接近検出信号が出力されたときに前記顧客ＩＤに基づいて所定の取引動作を開始する制御部とを備えてなる非接触型ＩＣカード取引装置に用いられ、前記所定の取引動作を開始する前に前記非接触型ＩＣカードを検知する取引方法であって、
前記ＩＣカード処理部に対して通信可能距離を前記非接触型ＩＣカードの接触のみが検知されるレベルに調整する第１のレベル調整処理と、
前記非接触型ＩＣカードの接触のみを検知する接触検出処理と、
前記ＩＣカード処理部から接触検出信号が出力された後の所定の時間の範囲内で前記通信可能距離を前記非接触型ＩＣカードの接近が検知されるレベルに再調整する第２のレベル調整処理と、
前記非接触型ＩＣカードの接近を検知するＩＣカード検知処理と、
前記ＩＣカード処理部から前記接近検出信号が出力されたときに前記顧客ＩＤに基づいて前記非接触型ＩＣカードの使用の可否を識別するカード識別処理と、
前記非接触型ＩＣカードが使用可のときに前記所定の取引動作を開始する取引処理とを行うことを特徴とする取引方法。
【請求項９】
コンピュータに請求項１乃至４記載の非接触型ＩＣカード取引装置の機能を実現させるための取引制御プログラム。
【発明の詳細な説明】
【０００１】
【発明の属する技術分野】
この発明は、非接触型ＩＣカード取引装置、該装置に用いられる非接触型ＩＣカードの検知方法及び検知制御プログラムに係り、特に、人の出入りが多いコンビニエンスストアなど、狭いスペースに不特定多数の人間が存在する場所に設置して好適な非接触型ＩＣカード取引装置、該装置に用いられる非接触型ＩＣカードの検知方法及び検知制御プログラムに関する。
【０００２】
【従来の技術】
自動現金取引装置は、従来から銀行などの金融機関に設置されて利用されているが、近年ではコンビニエンスストアなどにも設置される傾向にある。また、自動現金取引装置は、従来では顧客がキャッシュカードを挿入することにより利用されるものが主流であったが、近年ではＩＣカードにより利用されるものが製作されている。ＩＣカードは、接触型ＩＣカードと非接触型ＩＣカードとがある。接触型ＩＣカードは、表面に端子が設けられ、同端子を介して同取引装置内のリーダライタ装置とデータのやりとりを行うものである。これに対して非接触型ＩＣカードは、内部にアンテナをもち、このアンテナを介して同取引装置とデータのやりとりを行うものである。なお、「接触型ＩＣカード」及び「非接触型ＩＣカード」という名称は、日本国内における通称であり、国際標準では、“Integrated circuit card with contact  ”（外部端子付きＩＣカード）、“Contactless integrated circuit card ”（外部端子なしＩＣカード）という。これらのカードのうち、非接触型ＩＣカードは、使用時の取引装置との距離によって通信に用いる周波数が異なり、距離が短い（〜約２０ｃｍ）近接型は短波、距離がやや長い（〜約１ｍ）近傍型は長波、さらに距離が長い（数ｍ）遠隔型は、マイクロ波が使用される。
【０００３】
この種の非接触型ＩＣカード取引装置は、従来では例えば図９に示すものがあった。
この非接触型ＩＣカード取引装置は、同図に示すように、自動現金取引装置１であり、ＩＣカード処理部２と、磁気カード処理部３と、通帳処理部４と、レシート処理部５と、内部操作部６と、顧客操作部７と、ジャーナル処理部８と、紙幣処理部９と、硬貨処理部１０と、制御部１１とから構成されている。ＩＣカード処理部２は、非接触型ＩＣカードが通信可能な領域内に接近したときに接近検出信号を出力する。磁気カード処理部３は、キャッシュカードなどの磁気カードが挿入されたときに挿入検出信号を出力する。通帳処理部４は、通帳に対して印字などの処理を行う。
【０００４】
レシート処理部５は、自動現金取引装置１における処理内容を印字したレシートを発行する。内部操作部６は、同取引装置１の点検保守作業を行うための各種スイッチや表示手段などを有している。顧客操作部７は、顧客が操作を行うためのタッチパネルやキースイッチ、及び表示手段などを有している。ジャーナル処理部８は、同取引装置１における処理内容を記録する。紙幣処理部９は、顧客によって挿入された紙幣の識別を行うと共に、顧客の要求に応じて紙幣の払い出しを行う。硬貨処理部１０は、顧客によって投入された硬貨の識別を行うと共に、顧客の要求に応じて硬貨の払い出しを行う。制御部１１は、ＩＣカード処理部２から接近検出信号が出力されたとき、非接触型ＩＣカードに記録されている顧客ＩＤに基づいて所定の取引動作を開始する他、同取引装置１全体の制御を行う。
【０００５】
この自動現金取引装置１では、顧客が非接触型ＩＣカードをＩＣカード処理部２に接近させ、同非接触型ＩＣカードが同ＩＣカード処理部２からたとえば１０ｃｍ以内の通信可能な領域に接近したとき、同ＩＣカード処理部２から接近検出信号が制御部１１へ送出される。そして、非接触型ＩＣカードに記録されている顧客ＩＤに基づいて、制御部１１で非接触型ＩＣカードの使用の可否が判定され、同非接触型ＩＣカードが使用可のときに所定の取引動作が行われる。
【０００６】
また、上記の自動現金取引装置１の他、従来、この種の技術としては、例えば、次のような文献に記載されるものがあった。
特許文献１に記載された非接触式ＩＣカード処理装置では、アンテナ部から非接触式ＩＣカードまでの距離が検出され、同アンテナ部までの距離が所定以内のときに、データ授受が開始するので、本体と非接触式ＩＣカードとのデータ授受が確実に行われる。
【０００７】
特許文献２に記載された自動現金取引装置では、非接触型ＩＣカード処理部で利用者が非接触型ＩＣカードを所持しているか否かが検知され、金融機関名メニューが表示され、同非接触型ＩＣカードから選択的な通信によって読み出された金融機関名と同メニュー中の金融機関との一致が確認されるので、同カードを挿入する必要がなく、利用者の操作性が向上する。
【０００８】
【特許文献１】
特開２０００−１４９０７２号公報（第１頁、図１、２、３）
【特許文献２】
特開２００１−０５２２３７号公報（第１頁、図１、４）
【０００９】
【発明が解決しようとする課題】
しかしながら、上記従来の自動現金取引装置１では、次のような問題点があった。
すなわち、図９の自動現金取引装置１が、たとえばコンビニエンスストアなどのように、人の出入りが多くかつ狭いスペースに不特定多数の人間が存在する場所に設置された場合、同取引装置１を利用を希望する顧客以外の非接触型ＩＣカードが誤って検知されてしまい、無用な取引動作が開始されることが避けられないという問題点がある。
【００１０】
また、特許文献１に記載された非接触式ＩＣカード処理装置では、アンテナ部から非接触式ＩＣカードまでの距離が検出されて通信が行われるので、不安定要素が多いという問題点がある。また、特許文献２に記載された自動現金取引装置では、非接触型ＩＣカード処理部で検知範囲にあるＩＣカードが全て検知されるので、図９の取引装置１と同様の問題点がある。
【００１１】
この発明は、上述の事情に鑑みてなされたもので、取引装置の利用を希望する顧客以外の非接触型ＩＣカードを誤って検知することのない非接触型ＩＣカード取引装置、該装置に用いられる取引方法及び取引制御プログラムを提供することを目的としている。
【００１２】
【課題を解決するための手段】
上記課題を解決するために、請求項１記載の発明は、無線通信によりデータの送受信を行う非接触型ＩＣカードが所定の領域内に接近したときに接近検出信号を出力するＩＣカード処理部を有し、該接近検出信号に基づいて所定の取引動作を開始する非接触型ＩＣカード取引装置に係り、前記非接触型ＩＣカード又は物体が接触したときに接触検出信号を出力する接触検知部と、前記接触検出信号が出力された後に前記ＩＣカード処理部に対して前記非接触型ＩＣカードの接近を検知させる制御部とが設けられていることを特徴としている。
【００１３】
請求項２記載の発明は、顧客ＩＤが記録された非接触型ＩＣカードが所定の領域内に接近したときに接近検出信号を出力するＩＣカード処理部と、前記接近検出信号が出力されたときに前記顧客ＩＤに基づいて所定の取引動作を開始する制御部とを備えてなる非接触型ＩＣカード取引装置に係り、前記非接触型ＩＣカード又は物体が接触したときに接触検出信号を出力する接触検知部が設けられ、前記制御部は、前記接触検出信号が出力された後の所定の時間の範囲内で前記ＩＣカード処理部に対して前記非接触型ＩＣカードの接近を検知させ、該ＩＣカード処理部から前記接近検出信号が出力されたときに前記顧客ＩＤに基づいて前記所定の取引動作を開始する構成とされていることを特徴としている。
【００１４】
請求項３記載の発明は、無線通信によりデータの送受信を行う非接触型ＩＣカードが所定の領域内に接近したときに接近検出信号を出力するＩＣカード処理部を有し、該接近検出信号に基づいて所定の取引動作を開始する非接触型ＩＣカード取引装置に係り、前記ＩＣカード処理部に対して通信可能距離を調整して前記非接触型ＩＣカードの接触のみを検知させ、該ＩＣカード処理部から接触検出信号が出力された後の所定の時間の範囲内で前記通信可能距離を再調整して前記非接触型ＩＣカードの接近を検知させ、前記ＩＣカード処理部から前記接近検出信号が出力されたときに前記所定の取引動作を開始する制御部が設けられていることを特徴としている。
【００１５】
請求項４記載の発明は、顧客ＩＤが記録された非接触型ＩＣカードが所定の領域内に接近したときに接近検出信号を出力するＩＣカード処理部と、前記接近検出信号が出力されたときに前記顧客ＩＤに基づいて所定の取引動作を開始する制御部とを備えてなる非接触型ＩＣカード取引装置に係り、前記制御部は、前記ＩＣカード処理部に対して通信可能距離を調整して前記非接触型ＩＣカードの接触のみを検知させ、該ＩＣカード処理部から接触検出信号が出力された後の所定の時間の範囲内で前記通信可能距離を再調整して前記非接触型ＩＣカードの接近を検知させ、前記ＩＣカード処理部から前記接近検出信号が出力されたときに前記顧客ＩＤに基づいて前記所定の取引動作を開始する構成とされていることを特徴としている。
【００１６】
請求項５記載の発明は、無線通信によりデータの送受信を行う非接触型ＩＣカードが所定の領域内に接近したときに接近検出信号を出力するＩＣカード処理部を有し、該接近検出信号に基づいて所定の取引動作を開始する非接触型ＩＣカード取引装置に用いられ、前記所定の取引動作を開始する前に前記非接触型ＩＣカードを検知する取引方法に係り、接触検知部を設けておき、前記非接触型ＩＣカード又は物体が接触したときに前記接触検知部が接触検出信号を出力する接触検出処理と、前記接触検出信号が出力された後に前記ＩＣカード処理部が前記非接触型ＩＣカードの接近を検知するＩＣカード検知処理とを行うことを特徴としている。
【００１７】
請求項６記載の発明は、顧客ＩＤが記録された非接触型ＩＣカードが所定の領域内に接近したときに接近検出信号を出力するＩＣカード処理部と、前記接近検出信号が出力されたときに前記顧客ＩＤに基づいて所定の取引動作を開始する制御部とを備えてなる非接触型ＩＣカード取引装置に用いられ、前記所定の取引動作を開始する前に前記非接触型ＩＣカードを検知する取引方法に係り、接触検知部を設けておき、前記非接触型ＩＣカード又は物体が接触したときに前記接触検知部が接触検出信号を出力する接触検出処理と、前記接触検出信号が出力された後の所定の時間の範囲内で前記ＩＣカード処理部が前記非接触型ＩＣカードの接近を検知するＩＣカード検知処理と、前記ＩＣカード処理部から前記接近検出信号が出力されたときに前記顧客ＩＤに基づいて前記非接触型ＩＣカードの使用の可否を識別するカード識別処理と、前記非接触型ＩＣカードが使用可のときに前記所定の取引動作を開始する取引処理とを行うことを特徴としている。
【００１８】
請求項７記載の発明は、無線通信によりデータの送受信を行う非接触型ＩＣカードが所定の領域内に接近したときに接近検出信号を出力するＩＣカード処理部を有し、該接近検出信号に基づいて所定の取引動作を開始する非接触型ＩＣカード取引装置に用いられ、前記所定の取引動作を開始する前に前記非接触型ＩＣカードを検知する取引方法に係り、前記ＩＣカード処理部に対して通信可能距離を前記非接触型ＩＣカードの接触のみが検知されるレベルに調整する第１のレベル調整処理と、前記非接触型ＩＣカードの接触のみを検知する接触検出処理と、前記ＩＣカード処理部から接触検出信号が出力された後の所定の時間の範囲内で前記通信可能距離を前記非接触型ＩＣカードの接近が検知されるレベルに再調整する第２のレベル調整処理と、前記非接触型ＩＣカードの接近を検知するＩＣカード検知処理と、前記ＩＣカード処理部から前記接近検出信号が出力されたときに前記所定の取引動作を開始する取引処理とを行うことを特徴としている。
【００１９】
請求項８記載の発明は、顧客ＩＤが記録された非接触型ＩＣカードが所定の領域内に接近したときに接近検出信号を出力するＩＣカード処理部と、前記接近検出信号が出力されたときに前記顧客ＩＤに基づいて所定の取引動作を開始する制御部とを備えてなる非接触型ＩＣカード取引装置に用いられ、前記所定の取引動作を開始する前に前記非接触型ＩＣカードを検知する取引方法に係り、前記ＩＣカード処理部に対して通信可能距離を前記非接触型ＩＣカードの接触のみが検知されるレベルに調整する第１のレベル調整処理と、前記非接触型ＩＣカードの接触のみを検知する接触検出処理と、前記ＩＣカード処理部から接触検出信号が出力された後の所定の時間の範囲内で前記通信可能距離を前記非接触型ＩＣカードの接近が検知されるレベルに再調整する第２のレベル調整処理と、前記非接触型ＩＣカードの接近を検知するＩＣカード検知処理と、前記ＩＣカード処理部から前記接近検出信号が出力されたときに前記顧客ＩＤに基づいて前記非接触型ＩＣカードの使用の可否を識別するカード識別処理と、前記非接触型ＩＣカードが使用可のときに前記所定の取引動作を開始する取引処理とを行うことを特徴としている。
【００２０】
請求項９記載の発明は、取引制御プログラムに係り、コンピュータに請求項１乃至４記載の非接触型ＩＣカード取引装置の機能を実現させることを特徴としている。
【００２１】
【発明の実施の形態】
以下、図面を参照して、この発明の実施の形態について説明する。
第１の実施形態
図１は、この発明の第１の実施形態である非接触型ＩＣカード取引装置の電気的構成を示すブロック図である。
この形態の非接触型ＩＣカード取引装置は、同図に示すように、自動現金取引装置２１であり、ＩＣカード処理部２２と、磁気カード処理部２３と、通帳処理部２４と、レシート処理部２５と、内部操作部２６と、顧客操作部２７と、ジャーナル処理部２８と、紙幣処理部２９と、硬貨処理部３０と、ＩＣカード接触検知部３１と、制御部３２とから構成されている。ＩＣカード処理部２２は、顧客ＩＤが記録された非接触型ＩＣカードが通信可能な領域内に接近したときに接近検出信号を出力する。磁気カード処理部２３は、キャッシュカードなどの磁気カードが挿入されたときに挿入検出信号を出力する。通帳処理部２４は、通帳に対して印字などの処理を行う。
【００２２】
レシート処理部２５は、同取引装置２１における処理内容を印字したレシートを発行する。内部操作部２６は、同取引装置２１の点検保守作業を行うための各種スイッチや表示手段などを有している。顧客操作部２７は、顧客が操作して取引きに関するデータの入力を行うためのタッチパネルやキースイッチ、及び表示手段などを有している。ジャーナル処理部２８は、同取引装置２１における処理内容を記録する。紙幣処理部２９は、顧客によって挿入された紙幣の識別を行うと共に、顧客の要求に応じて紙幣の払い出しを行う。硬貨処理部３０は、顧客によって投入された硬貨の識別を行うと共に、顧客の要求に応じて硬貨の払い出しを行う。
【００２３】
ＩＣカード接触検知部３１は、接触センサ（たとえば、物体が接触したときにオン状態となる圧電素子など）で構成され、非接触型ＩＣカードなどが接触したときに接触検出信号を出力する。制御部３２は、同取引装置２１全体を制御するＣＰＵ（中央処理装置）３２ａ及び同ＣＰＵ３２ａを動作させるための取引制御プログラムが記録されたＲＯＭ（リード・オンリ・メモリ）３２ｂを有している。制御部３２は、ＩＣカード接触検知部３１から接触検出信号が出力された後の所定の時間の範囲内でＩＣカード処理部２２に対して非接触型ＩＣカードの接近を検知させ、同ＩＣカード処理部２２から接近検出信号が出力されたとき、非接触型ＩＣカードに記録されている顧客ＩＤに基づいて所定の取引動作を開始する他、同取引装置２１全体の制御を行う。
【００２４】
図２は、図１の自動現金取引装置２１の外観を示す斜視図である。
この自動現金取引装置２１は、操作パネル３３と前面パネル３４とを有している。操作パネル３３のほぼ中央には、顧客操作部２７が設けられている。操作パネル３３の右後部には、紙幣処理部２９が備えられている。操作パネル３３の左後部には、硬貨処理部３０が備えられている。操作パネル３３の右端部には、ＩＣカード処理部２２とＩＣカード接触検知部３１とが一体化されて設けられている。前面パネル３４の右上部には磁気カード処理部２３が設けられ、同磁気カード処理部２３の下側にはレシート処理部２５が設けられている。磁気カード処理部２３の左側には、通帳処理部２４が設けられている。
【００２５】
図３は、図１の自動現金取引装置２１に用いられる非接触型ＩＣカードの電気的構成を示すブロック図である。
この非接触型ＩＣカード４０は、アンテナ４１と、通信制御部４２と、Ｉ／Ｏ部４３と、ＣＰＵ４４と、メモリ４５と、アンテナ４６と、電源生成部４７とから構成されている。この非接触型ＩＣカード４０では、同取引装置２１のＩＣカード処理部２２から発射された電力波がアンテナ４６を介して受信され、同非接触型ＩＣカード４０を動作させるための電源が電源生成部４７で生成される。また、メモリ４５には、予め顧客ＩＤが記録されている。そして、顧客ＩＤが、メモリ４５からＣＰＵ４４、Ｉ／Ｏ部４３、通信制御部４２及びアンテナ４１を順次経て自動現金取引装置２１のＩＣカード処理部２２へ発射され、取引に必要なデータの送受信が行われる。
【００２６】
図４は、図１の自動現金取引装置２１の動作を説明するフローチャート、及び図５がＩＣカード処理部２２の通信可能な領域を示す図である。
これらの図を参照して、図１の取引装置２１を用いた取引方法の処理内容について説明する。
同取引装置２１を利用する顧客が非接触型ＩＣカード４０又は同非接触型ＩＣカード４０が入った財布などをＩＣカード接触検知部３１に接触させたとき、図４に示すように、同ＩＣカード接触検知部３１から接触検出信号が出力される（ステップＡ１、接触検出処理）。接触検出信号は、制御部３２へ送出される。ＩＣカード接触検知部３１から接触検出信号が出力された後の所定の時間（たとえば、３秒程度）の範囲内で、制御部３２の指令により、ＩＣカード処理部２２で非接触型ＩＣカード４０の接近が検知される（ステップＡ２、ＩＣカード検知処理）。
【００２７】
この場合、たとえば図５に示すように、非接触型ＩＣカード４０がＩＣカード処理部２２から半径Ｒ（Ｒ；たとえば、１０ｃｍ程度）の通信可能な領域内に接近したときに、同ＩＣカード処理部２２から接近検出信号が出力される。ＩＣカード処理部２２から接近検出信号が出力されたとき、制御部３２の指令により、非接触型ＩＣカード４０に記録されている顧客ＩＤがＩＣカード処理部２２で読取られ、同制御部３２へ送出される。制御部３２で顧客ＩＤに基づいて非接触型ＩＣカードの使用の可否が識別される（ステップＡ３、カード識別処理）。カード識別処理（ステップＡ３）において非接触型ＩＣカード４０が使用可のときに所定の取引動作が開始される（ステップＡ４、取引処理）。取引動作が正常に行われた後、取引終了となる（ステップＡ５、取引終了）。
【００２８】
以上のように、この第１の実施形態では、非接触型ＩＣカード４０又は同非接触型ＩＣカード４０が入った財布などが接触したことを検知するＩＣカード接触検知部３１を設け、同ＩＣカード接触検知部３１から接触検出信号が出力された後の所定の時間の範囲内で同非接触型ＩＣカード４０がＩＣカード処理部２２から通信可能な領域内に接近することを検知するようにしたので、取引装置２１を利用する顧客以外の非接触型ＩＣカードの誤検知が防止されると共に、利用者本人の非接触型ＩＣカード４０のみが検知される。
【００２９】
第２の実施形態
図６は、この発明の第２の実施形態である非接触型ＩＣカード取引装置の電気的構成を示すブロック図であり、第１の実施形態を示す図１中の要素と共通の要素には共通の符号が付されている。
この形態の非接触型ＩＣカード取引装置は、同図に示すように、自動現金取引装置２１Ａであり、図１中のＩＣカード接触検知部３１が削除されると共に、ＩＣカード処理部２２及び制御部３２に代えて、異なる機能を有するＩＣカード処理部２２Ａ及び制御部３２Ａが設けられている。ＩＣカード処理部２２Ａは、制御部３２Ａの制御により、非接触型ＩＣカード４０との通信可能距離がたとえば数ｍｍの短距離に調整されて同非接触型ＩＣカード４０の接触のみを検知して接触検出信号を出力し、その後、同通信可能距離が第１の実施形態と同様の１０ｃｍ程度に再調整されて同非接触型ＩＣカード４０の接近を検知して接近検出信号を出力する。
【００３０】
制御部３２Ａでは、ＲＯＭ３２ｂに記録された取引制御プログラムが第１の実施形態に対して変更されている。すなわち、制御部３２Ａは、ＩＣカード処理部２２Ａに対して通信可能距離を調整して非接触型ＩＣカード４０の接触のみを検知させ、同ＩＣカード処理部２２Ａから接触検出信号が出力された後の所定の時間の範囲内で同通信可能距離を再調整して同非接触型ＩＣカード４０の接近を検知させ、同ＩＣカード処理部２２Ａから接近検出信号が出力されたときに非接触型ＩＣカード４０に記録されている顧客ＩＤに基づいて所定の取引動作を開始する他、同取引装置２１Ａ全体の制御を行う。他は、図１と同様の構成である。
【００３１】
図７は、図６の自動現金取引装置２１Ａの外観を示す斜視図であり、第１の実施形態を示す図２中の要素と共通の要素には共通の符号が付されている。
この自動現金取引装置２１Ａでは、図２中のＩＣカード接触検知部３１が削除されると共に、ＩＣカード処理部２２に代えて、ＩＣカード処理部２２Ａが設けられている。
【００３２】
図８は、図６の自動現金取引装置２１Ａの動作を説明するフローチャートである。
この図を参照して、図６の取引装置２１Ａを用いた取引方法の処理内容について説明する。
待機状態では、制御部３２Ａの制御により、ＩＣカード処理部２２Ａは、非接触型ＩＣカード４０との通信可能距離が数ｍｍの短距離に調整される（ステップＢ１、第１のレベル調整処理）。次に、取引装置２１Ａを利用する顧客が非接触型ＩＣカード４０又は同非接触型ＩＣカード４０が入った財布などをＩＣカード処理部２２Ａに接触させたとき、同ＩＣカード処理部２２Ａから接触検出信号が出力される（ステップＢ２、接触検出処理）。接触検出信号は、制御部３２Ａへ送出される。ＩＣカード処理部２２Ａから接触検出信号が出力された後の所定の時間（たとえば、３秒程度）の範囲内で、通信可能距離を非接触型ＩＣカード４０の接近が検知されるレベルに再調整される（ステップＢ３、第２のレベル調整処理）。制御部３２Ａの指令により、ＩＣカード処理部２２Ａで非接触型ＩＣカード４０の接近が検知される（ステップＢ４、ＩＣカード検知処理）。
【００３３】
この場合、第１の実施形態と同様に、たとえば図５に示すように、非接触型ＩＣカード４０がＩＣカード処理部２２Ａから半径Ｒ（Ｒ；たとえば、１０ｃｍ程度）の通信可能な領域内に接近したときに、同ＩＣカード処理部２２Ａから接近検出信号が出力される。ＩＣカード処理部２２Ａから接近検出信号が出力されたとき、制御部３２Ａの指令により、非接触型ＩＣカード４０に記録されている顧客ＩＤがＩＣカード処理部２２Ａで読み取られ、同制御部３２Ａへ送出される。制御部３２Ａで顧客ＩＤに基づいて非接触型ＩＣカードの使用の可否が識別される（ステップＢ５、カード識別処理）。カード識別処理（ステップＢ５）において非接触型ＩＣカード４０が使用可のときに所定の取引動作が開始される（ステップＢ６、取引処理）。取引動作が正常に行われた後、取引終了となる（ステップＢ７、取引終了）。
【００３４】
以上のように、この第２の実施形態では、第１及び第２のレベル調整処理において、ＲＯＭ３２ｂに記録された取引制御プログラムに基づいてＩＣカード処理部２２Ａと非接触型ＩＣカード４０との通信可能距離のレベルが接触検知に対応するもの及び接近検知に対応するものに調整されるので、図１中のＩＣカード接触検知部３１を設けることなく、取引装置２１Ａを利用する顧客以外の非接触型ＩＣカードの誤検知が防止されると共に、利用者本人の非接触型ＩＣカード４０のみが検知される。
【００３５】
以上、この発明の実施形態を図面により詳述してきたが、具体的な構成はこの実施形態に限られるものではなく、この発明の要旨を逸脱しない範囲の設計の変更などがあっても、この発明に含まれる。
たとえば、図２では、ＩＣカード処理部２２とＩＣカード接触検知部３１とが一体化されているが、互いに近傍に設けられていれば、一体化されていなくても良い。また、図３の非接触型ＩＣカード４０では、同非接触型ＩＣカード４０を動作させるための電源として電池が内蔵されていれば、アンテナ４６及び電源生成部４７を削除しても良い。また、ＩＣカード接触検知部３１は、圧電素子の他、非接触型ＩＣカードが接触したときに発光部の光が遮光されることにより受光部オフ状態となる光学式センサや、同非接触型ＩＣカードが接触したときにオン状態となるマイクロスイッチなどで構成しても良い。また、第１の実施形態では、ステップＡ１（接触検出処理）において、ＩＣカード接触検知部３１に接触させる物体は、ＩＣカード接触検知部３１から接触検出信号が出力された後の所定の時間（たとえば、３秒程度）の範囲内に顧客が非接触型ＩＣカード４０をＩＣカード処理部２２に接近させることができれば、顧客の手や指などでも良い。また、各実施形態では、自動現金取引装置を例にして説明したが、この発明は非接触型ＩＣカードを用いて取引を行う装置全般に適用できる。
【００３６】
【発明の効果】
以上説明したように、この発明の構成によれば、非接触型ＩＣカード又は物体が接触したことを検知する接触検知部を設け、同接触検知部から接触検出信号が出力された後の所定の時間の範囲内で同非接触型ＩＣカードがＩＣカード処理部から所定の領域内に接近することを検知するようにしたので、非接触型ＩＣカード取引装置を利用する顧客以外の非接触型ＩＣカードの誤検知を防止できると共に、利用者本人の非接触型ＩＣカードのみを検知できる。また、第１及び第２のレベル調整処理において、取引制御プログラムに基づいてＩＣカード処理部と非接触型ＩＣカードとの通信可能距離のレベルが接触検知に対応するもの及び接近検知に対応するものに調整されるので、ＩＣカード接触検知部を設けることなく、非接触型ＩＣカード取引装置を利用する顧客以外の非接触型ＩＣカードの誤検知を防止できると共に、顧客本人の非接触型ＩＣカードのみを検知できる。
【図面の簡単な説明】
【図１】この発明の第１の実施形態である非接触型ＩＣカード取引装置の電気的構成を示すブロック図である。
【図２】図１の自動現金取引装置２１の外観を示す斜視図である。
【図３】図１の自動現金取引装置２１に用いられる非接触型ＩＣカードの電気的構成を示すブロック図である。
【図４】図１の自動現金取引装置２１の動作を説明するフローチャートである。
【図５】ＩＣカード処理部２２の通信可能な領域を示す図である。
【図６】この発明の第２の実施形態である非接触型ＩＣカード取引装置の電気的構成を示すブロック図である。
【図７】図７は、図６の自動現金取引装置２１Ａの外観を示す斜視図である。
【図８】図６の自動現金取引装置２１Ａの動作を説明するフローチャートである。
【図９】従来の非接触型ＩＣカード取引装置の電気的構成を示すブロック図である。
【符号の説明】
２１，２１Ａ      自動現金取引装置（非接触型ＩＣカード取引装置）
２２，２２Ａ      ＩＣカード処理部
３２，３２Ａ      制御部
３１      ＩＣカード接触検知部（接触検知部）
３２ａ      ＣＰＵ（中央処理装置）
３２ｂ      ＲＯＭ（リード・オンリ・メモリ）
４０      非接触型ＩＣカード
【図１】
2004199445.tif 000003
【図２】
2004199445.tif 000004
【図３】
2004199445.tif 000005
【図４】
2004199445.tif 000006
【図５】
2004199445.tif 000007
【図６】
2004199445.tif 000008
【図７】
2004199445.tif 000009
【図８】
2004199445.tif 000010
【図９】
2004199445.tif 000011